(57)【特許請求の範囲】
【請求項１】
電池電圧を昇圧する昇圧回路と、前記昇圧回路の出力により充電する主コンデンサと、前記主コンデンサの電圧を検出するための電圧検出回路と、主コンデンサの電圧を検出し主コンデンサに印加される過電圧を防止する安全回路と温度検出回路を有する閃光装置において、
前記電圧検出回路の検出により前記昇圧回路の作動を禁止または断続的に作動させることで電圧を保持する第１の電圧レベルと、前記主コンデンサの電圧を検出し主コンデンサに印加される電圧にて発光させることで主コンデンサの放電を行う安全回路の作動電圧とする第２の電圧レベルを有して、前記温度検出回路の出力に応じて第２の電圧レベルよりも低い第１の電圧レベルを可変設定することを特徴とする閃光装置。
【請求項２】
前記安全回路は、定電圧ダイオードを含むことを特徴とする請求項１記載の閃光装置。
【請求項３】
前記可変設定する第１の電圧レベルは、安全回路の有する温度特性に比例することを特徴とする請求項１記載の閃光装置。
【請求項４】
前記可変設定する第１の電圧レベルは、所定の温度により１段あるいは複数段階に可変されることを特徴とする請求項１記載の閃光装置。
【請求項５】
前記電圧検出回路の出力は、Ａ／Ｄコンバータにより検出することを特徴とする請求項１記載の閃光装置。
【請求項６】
前記可変設定する第１の電圧レベルは、Ａ／Ｄコンバータあるいはコンパレータにより検出することを特徴とする請求項４記載の閃光装置。
【請求項７】
前記可変設定する第１の電圧レベルは、不揮発性のメモリに記憶することを特徴とする請求項１記載の閃光装置。
【請求項８】
前記可変設定する第１の電圧レベルは、書き込み可能な不揮発性メモリに記憶することを特徴とする請求項１記載の閃光装置。
【請求項９】
前記可変設定する第１の電圧レベルは、複数の比較回路を温度により切換えて検出することを特徴とする請求項４記載の閃光装置。
【請求項１０】
前記可変設定する第１のレベルは、所定の温度以上では一定とすることを特徴とする請求項４記載の閃光装置。
【発明の詳細な説明】
【０００１】
【発明の属する技術分野】
本発明は、カメラ等に使用する閃光装置に関し、特に閃光装置の安全回路に関するものである。
【０００２】
【従来の技術】
従来の閃光装置（ストロボ装置）では、ストロボ装置の充電時間を短縮するために、電源電圧を昇圧する発振トランスの１次巻線と２次巻線の巻線比を高く設定することが一般的であって、この様なストロボ装置では主コンデンサの電圧が所定の電圧に達すると充電を断続させて一定の電圧を保持させるものや、充電を停止させるように構成したものが普通である。
【０００３】
図８は従来の閃光装置のブロック図であり、１は電源であるところの電池、２は電池１を昇圧するための昇圧回路（ＤＣ／ＤＣコンバータ回路）ブロック、３は高圧整流用ダイオード、４は高圧定電圧ダイオード、５は抵抗、１０はサイリスタ、７はコンデンサ、８は抵抗で、コンデンサ７と抵抗８の並列回路がサイリスタ１０のゲート・カソード間に接続されている。更に、高圧定電圧ダイオード４と抵抗５の直列回路が抵抗６を介して、後述する主コンデンサの正極とサイリスタ１０のゲートに接続されている。
【０００４】
９は抵抗でサイリスタ１０のアノードと主コンデンサの正極間に接続される。１１はコンデンサ、１２はトリガトランスでトリガトランス１２の出力は、放電管１３のトリガ電極に接続されている。１４は主コンデンサで放電管１３に並列に接続されている。ａ，ｄは端子でカメラ側の制御回路（図示していない）に接続されている。
【０００５】
次に、以上のような回路構成の動作について説明する。
【０００６】
カメラ側の制御回路（図示していない）から端子ａを介して、充電信号が与えられると、ＤＣ／ＤＣコンバータ回路ブロック２は電池１の電圧を昇圧し、主コンデンサ１４を高圧整流用ダイオード３を介して充電する。やがて主コンデンサ１４の電位が上昇して高圧定電圧ダイオード４の動作電圧に達すると、高圧定電圧ダイオード４を介して電流が流れ、抵抗５と６と８に電位が発生する。抵抗６と８の直列回路に発生する電位は端子ｄを介してカメラ側の制御回路（図示していない）へ入力し、所定の基準電圧との比較により所定値に達すると、端子ａを介して与えられていた充電信号を解除し発振を停止する。
【０００７】
この時、充電が完了した時点で抵抗６，８の直列回路に発生する充電完了信号電位では、抵抗８に発生する電位がサイリスタ１０の動作する電位以下になるように設定されているため、サイリスタ１０は非導通のままである。ここでカメラ側の制御回路（図示していない）より端子ｄを介して充電完了信号より高く設定されている発光信号が与えられると、抵抗６を介してサイリスタ１０にゲート電流が流れサイリスタ１０は導通する。これによって、抵抗９とトリガトランス１２の１次側を介して充電されたコンデンサ１１の電荷が、サイリスタ１０とトリガトランス１２を介して急激に放電し、トリガトランス１２の出力には数ＫＶの高圧パルスが発生して、放電管１３のトリガ電極をトリガする。これによって放電管１３が励起され導通して、主コンデンサ１４の充電電荷を放電し、このエネルギーが光エネルギーに変換されることで被写体を照明する。
【０００８】
ここで、カメラへの接続端子ｄの接続が切れたりした場合は、充電完了信号の検出ができないために、主コンデンサ１４の電位が上昇し定格を超えてしまうような事故が発生する可能性がある。主コンデンサに定格電圧以上の電圧が長時間印加されると、主コンデンサは発熱し内部のガス圧が上昇して、終いには安全弁が作動する事態に至る。安全弁が作動することによって爆発の危険は避けられるが、内部ガスが外に漏れることによってユーザーに不快感を与えるので、従来の回路では、主コンデンサ１４に定格電圧を超える電圧が印加された場合に、抵抗８に発生する電位が上昇し、サイリスタ１０が導通するように構成して、充電打ち切りタイマの期間中に連続発光を行うことにより放電させ、主コンデンサに定格以上の電圧が印加されないような構成になっている。
【０００９】
【発明が解決しようとする課題】
しかしながら、上記従来例においては、高圧定電圧ダイオード４、抵抗５のオープンあるいは実装パターンのオープン等が発生した場合には、充電打ち切りタイマの期間中に充電された電荷が定格電圧以上となり主コンデンサの自己放電等により定格電圧以下に放電するまでの期間中に、主コンデンサには４００Ｖ程度の過電圧が印加され徐々に劣化し、終いには安全弁が作動するという不都合がある。
【００１０】
このために、主コンデンサの充電電圧の検出回路と安全回路は別々の回路で構成することが望ましい。また、安全回路の構成は性格上信頼性の高い構成が必要条件となる。従って構成部品が極力少ないことが望ましい。例えば、定電圧ダイオードを使用して安全回路を構成すると、定電圧ダイオードの温度特性と電圧検出回路の温度特性に差が生じた場合に、ある温度では所定の検出電圧に達する前に安全回路が作動して、ストロボ装置が発光してしまうという不都合がある。
【００１１】
そこで、請求項１に記載の発明の目的は、安全回路が作動する電圧を主コンデンサの充電完了電圧レベルに対し安全なように補正することにより、簡単な構成でより安全な動作が可能となる閃光装置を提供することにある。
【００１２】
更に、請求項２乃至１０に記載の発明の目的は、温度特性を考慮して安全回路の作動電圧を正確に設定し充電完了電圧も温度特性に正確に追従して補正する、より安全な回路を備えた閃光装置を提供することにある。
【００１４】
【課題を解決するための手段】
本出願に係る発明の目的を実現する構成は、請求項１に記載のように、電池電圧を昇圧する昇圧回路と、前記昇圧回路の出力により充電する主コンデンサと、前記主コンデンサの電圧を検出するための電圧検出回路と、主コンデンサの電圧を検出し主コンデンサに印加される過電圧を防止する安全回路と温度検出回路を有する閃光装置において、前記電圧検出回路の検出により前記昇圧回路の作動を禁止または断続的に作動させることで電圧を保持する第１の電圧レベルと、前記主コンデンサの電圧を検出し主コンデンサに印加される電圧にて発光させることで主コンデンサの放電を行う安全回路の作動電圧とする第２の電圧レベルを有して、前記温度検出回路の出力に応じて第２の電圧レベルよりも低い第１の電圧レベルを可変設定することを特徴とする閃光装置にある。
【００１５】
この構成によれば、温度検出回路の出力に応じて充電完了電圧を安全な範囲に補正することができる。
【００１６】
本出願に係る発明の目的を実現する具体的な構成は、請求項２に記載のように、前記安全回路は、定電圧ダイオードを含むことを特徴とする請求項１記載の閃光装置にある。
【００１７】
この構成によれば、過充電による作動電圧に正確に対応できる。
【００１８】
本出願に係る発明の目的を実現する他の具体的な構成は、請求項３に記載のように、前記可変設定する第１の電圧レベルは、安全回路の有する温度特性に比例することを特徴とする請求項１記載の閃光装置にある。
【００１９】
この構成によれば、安全回路の作動電圧の温度による変化に比例して充電完了電圧を補正することができる。
【００２０】
本出願に係る発明の目的を実現する他の具体的な構成は、請求項４に記載のように、前記可変設定する第１の電圧レベルは、所定の温度により１段あるいは複数段階に可変されることを特徴とする請求項１記載の閃光装置にある。
【００２１】
この構成によれば、分割した温度領域に対応して充電完了電圧を複数段階に可変設定することができる。
【００２２】
本出願に係る発明の目的を実現する他の具体的な構成は、請求項５に記載のように、前記電圧検出回路の出力は、Ａ／Ｄコンバータにより検出することを特徴とする請求項１記載の閃光装置にある。
【００２３】
この構成によれば、アナログ電圧値をデジタル値に変換して正確にマイコンで電圧値を読み取ることができる。
【００２４】
本出願に係る発明の目的を実現する他の具体的な構成は、請求項６に記載のように、前記可変設定する第１の電圧レベルは、Ａ／Ｄコンバータあるいはコンパレータにより検出することを特徴とする請求項４記載の閃光装置にある。
【００２５】
この構成によれば、充電完了電圧はデジタル値のパルスカウントあるいは基準値との比較によって正確に設定ができる。
【００２６】
本出願に係る発明の目的を実現する他の具体的な構成は、請求項７に記載のように、前記可変設定する第１の電圧レベルは、不揮発性のメモリに記憶することを特徴とする請求項１記載の閃光装置にある。
【００２７】
この構成によれば、電源が切れても設定し直しの必要がない。
【００２８】
本出願に係る発明の目的を実現する他の具体的な構成は、請求項８に記載のように、前記可変設定する第１の電圧レベルは、書き込み可能な不揮発性メモリに記憶することを特徴とする請求項１記載の閃光装置にある。
【００２９】
この構成によれば、充電電圧値は１度書き込めば再度設定する必要はないが、必要なら書換え更新もできる。
【００３０】
本出願に係る発明の目的を実現する他の具体的な構成は、請求項９に記載のように、前記可変設定する第１の電圧レベルは、複数の比較回路を温度により切換えて検出することを特徴とする請求項４記載の閃光装置にある。
【００３１】
この構成によれば、分割した温度領域の数だけ用意した比較回路で各領域に対応する充電電圧を検出が可能になる。
【００３２】
本出願に係る発明の目的を実現する他の具体的な構成は、請求項１０に記載のように、前記可変設定する第１の電圧レベルは、所定の温度以上では一定とすることを特徴とする請求項４記載の閃光装置にある。
【００３３】
この構成によれば、所定の温度以上では充電完了電圧は変化しないとして、一定とみなすることができる。
【００３６】
【発明の実施の形態】
（第１の実施の形態）
以下、本発明の第１の実施の形態について図を参照して説明する。
図１〜図５は本発明の第１の実施の形態に係る図である。
図１は本発明の第１の実施の形態に係るカメラの閃光装置の回路ブロック図である。
図２は図１に示すカメラの動作のフローチャートである。
図３は図２に示すフラッシュモード時のフローチャートである。
図４は図１に示す閃光装置の主コンデンサと安全回路の作動電圧の関係を示す図である。
【００３７】
図１において、図８の従来例の回路と同一構成には同一符号を付している。１は電源である電池、２は電池１を昇圧するためのＤＣ／ＤＣコンバータ回路ブロック（昇圧回路）、３は高圧整流用ダイオード、４は高圧定電圧ダイオード、５は抵抗、１０はサイリスタ、７はコンデンサ、８は抵抗で、コンデンサ７と抵抗８の並列回路をサイリスタ１０のゲート、カソード間に接続している。更に、高圧定電圧ダイオード４と抵抗５の直列回路を主コンデンサの正極とサイリスタ１０のゲートに接続している。
【００３８】
９は抵抗で、サイリスタ１０のアノードと主コンデンサの正極の間に接続している。１１はコンデンサ、１２はトリガトランスでトリガトランス１２の出力は、放電管１３のトリガ電極に接続されている。１４は主コンデンサで放電管１３に並列に接続している。１５は抵抗、１６はスイッチ素子、１７は抵抗で、これらの直列回路も同様に主コンデンサ１４に並列に接続されている。
【００３９】
ａ，ｂ，ｃは端子でカメラ側のワンチップマイコンで構成した制御回路２５へ接続されている。２０は定電圧回路ブロックで、基準電圧Ｖｒｅｆや各回路ブロックの電源Ｖｃｃを供給する回路ブロックであって、制御回路２５よりＶｃｃＥＮ端子を介して制御されている。２１は測光回路、２２はスイッチ回路ブロックで、Ｖｃｃ電源により動作して各スイッチの変化を制御回路２５へ伝達する。２３はシャッタ回路ブロック、２４は表示回路ブロックで、例えばＬＣＤ等に必要な情報を表示するものである。
【００４０】
２６は測距回路ブロック、２７は温度検出回路ブロック、２８はフィルム感度検出ブロックで制御回路２５に各端子を介して撮影に必要な情報を伝える。２９はレンズ駆動回路ブロック、３０はフィルム駆動回路ブロックで制御回路２５の制御によりフィルム給送を行う。
【００４１】
つぎに動作について説明する。
【００４２】
いま、電池１は投入されていて、この状態ではカメラの制御回路２５は低消費モードとなっていて作動が停止している。この状態で、カメラのバリア等の部材と連動するスイッチ回路ブロック２２内の電源スイッチが入ると、マイコンの制御回路２５は作動を開始する。制御回路２５は定電圧回路ブロック２０にＶｃｃＥＮ端子を介して信号を与え、定電圧回路ブロック２０は基準電圧Ｖｒｅｆ及び各回路ブロックの電源Ｖｃｃを供給する。
【００４３】
以降の動作については図２のフローチャートを参照して詳述する。尚、以下の各フローチャートにおける“Ｓ”は、ステップを表している。
【００４４】
マイコンに必要な初期設定を行う（Ｓ１）。スイッチ回路２２にＶｃｃを供給する（Ｓ２）。
【００４５】
レリーズボタンの半押し状態であるスイッチ回路２２内に設けられた第１ストロークのＳＷ１を検出し、検出したらＳ４に移る（Ｓ３）。所定のカウンタを初期状態にセットする（Ｓ４）。バッテリチェックを行う（Ｓ５）。
【００４６】
カメラの撮影に必要な電源状態にあるかを判定する（Ｓ６）。ＮＧならスイッチ待ちＳ２へ戻る。ＯＫならば端子ＡＦＣに信号を与え、測距回路２６が作動して被写体迄の距離を測定する（Ｓ７）。測距情報はＡＦＤ端子より制御回路２５に与えられる。
【００４７】
被写体の輝度を測定し、この情報を端子ＳＰを介し制御回路２５に与える（Ｓ８）。Ｓ８のデータから輝度が所定輝度より明るいか、暗いかを判定し、輝度が低く被写体が暗い場合にはＳ１０のフラッシュモードに進む（Ｓ９）。
【００４８】
フラッシュ・モードの動作は図３のサブルーチンに移る。
【００４９】
フラッシュ・モードでは、先ず、図１に示した温度検出回路２７を作動し、充電時の温度データを検出して、温度検出データにより図４に示すような温度補正を行う（Ｓ２０）。図４の実線カーブｌ１は定電圧ダイオードの温度特性を示したものである。点線カーブｌ２は温度検出回路２７の検出温度に対応した主コンデンサ１４の設定すべき充電完了電圧を示し、Ｘ軸に示す検出温度に対応するカーブｌ２のＹ軸に当たる電圧対応値を求め、Ａ／Ｄコンバータによりこの電圧に対応する補正値を与える。この主コンデンサ１４の充電完了時の電圧は、ここでは定電圧ダイオード４の温度特性を含めた安全回路の作動電圧より一定電圧低い電圧を設定している。例えば、検出温度が１０℃の時の定電圧ダイオード４の導通電圧は３１６Ｖであるので、充電完了電圧としては、この導通電圧より一定電圧低い３１３Ｖがセットされる。この様にしてＳ２０では温度に応じて定電圧ダイオード４の導通電圧に対して一定電圧低い充電電圧が設定される。
【００５０】
次に、充電を打ち切るためのタイマである、充電タイマを作動させる。このタイマは一般的に１０〜１５秒程度の時間である（Ｓ２１）。端子ａにハイレベルの充電開始信号を与えて、ＤＣ／ＤＣコンバータ２を作動させ電池１の電圧を昇圧し、高圧整流ダイオード３を介して主コンデンサ１４の充電を開始すると共に、端子ａの信号はＮ−ｃｈ  ＦＥＴであるスイッチ素子１６のゲートにハイレベル信号を与えて導通し、主コンデンサ１４の充電電圧の抵抗１５，１７による分圧電圧を、抵抗１７に発生させて端子ｂを介して制御回路２５に与える（Ｓ２２）。ここで抵抗１５は数百Ｋオーム〜１Ｍオーム程度の抵抗値で、抵抗１７は数Ｋオームの抵抗値であることから、抵抗１７に発生する電位は２Ｖ以下に設定されていて、抵抗１７に発生する電位によりスイッチ素子１６が非導通状態にならないように、ハイレベル信号を与えるように設定していることは言うまでもない。
【００５１】
主コンデンサ１４の充電が上昇すると、抵抗１７に発生する電位も上昇し、端子ｂを介して制御回路２５内のＡ／Ｄコンバータにより電圧を検出する（Ｓ２３）。充電電圧が所定値より低い場合で、充電タイマ時間内の時は再度Ｓ２３へ戻り、所定電圧つまり主コンデンサ電位がＳ２０で決定した電圧になるまで繰り返す（Ｓ２４）。
【００５２】
Ｓ２３の判定で充電完了の場合（Ｓ２０で設定された充電電圧に達した場合）は、端子ａに与えていた信号を停止して（Ｓ２５）、充電完了のフラグを立て、図２のフローチャート中の▲３▼に戻る（Ｓ２６）。
【００５３】
また、Ｓ２４の判定で充電完了前に充電タイマが終了カウント値に達した場合は、端子ａを介して与えていた信号を停止して、ＤＣ／ＤＣコンバータ２とスイッチ素子１６をＯＦＦさせ（Ｓ２７）、充電未完了の充電ＮＧフラグを立て、その後図２のフローの▲３▼に戻る（Ｓ２８）。
【００５４】
ここで、再び図２のフローチャートに戻る。
【００５５】
Ｓ９の判断で被写体輝度が所定値より明るいと判断された場合は、シャッタボタンの第２ストロークＳＷ２がＯＮか否かを判断する（Ｓ１２）。ＳＷ２が押されたら、Ｓ７による測距データに基づきレンズ駆動回路ブロック２９を制御し、焦点調整を行う（Ｓ１４）。
【００５６】
Ｓ８で得られた被写体の輝度と、ＩＳＯ感度データからの条件にて、シャッタ開口をシャッタ回路ブロック２３を制御して行う。又、輝度が低くストロボ装置が必要な場合は測距データとＩＳＯ感度によりシャッタ制御を行い、所定の絞り値でストロボを発光させる（Ｓ１４）。
【００５７】
ストロボの発光は図１の端子ｃにハイレベル信号を与えて抵抗６を介し、サイリスタ１０のゲート信号を与えて導通させる。これによってコンデンサ１１がトリガコイル１２の１次巻線を介して放電し、放電管１３のトリガ電極に高圧のパルス電圧を印加して、励起させると放電管１３のインピーダンスが低下し一気に主コンデンサ１４が放電する。このエネルギーは放電管１３により光エネルギーに変換され、被写体に補助光として照射する。フラッシュ（ストロボ）を使用するとフラッシュフラグに１をセットする。
【００５８】
シャッタが開成されると、焦点位置にあったレンズを初期の待機位置に戻す（Ｓ１５）。撮影の終了したフィルムをフィルム駆動回路３０を制御して１コマ分巻き上げる（Ｓ１６）。フラッシュを使用したことを示すＳ１４でのフラグが立っているかを確認する（Ｓ１７）。フラグ“１”を確認したら、フラッシュモードの充電を行う（Ｓ１８）。この充電はＳ１０と同一であるため説明は省略する。また、フラッシュを使用していない時はＳ１８を通らず、スイッチ検知のＳ２のシーケンスに戻り、一連の撮影シーケンスを終了する。
【００５９】
以上説明した撮影シーケンスで、万一カメラの制御回路２５に接続された端子ｂが何等かの原因により断線した場合、あるいは抵抗１５が外れた場合などを想定すると、図３に示すフローのＳ２２で充電完了信号が発生しないために、主コンデンサ１４の充電電圧が過電圧になる。高圧ツェナーダイオード４は、この過充電を防止するために接続され、所定電圧に主コンデンサ１４の電圧が上昇すると、抵抗５を介して高圧ツェナーダイオード４のツェナー電流が流れる。更に、この電流はサイリスタ１０のゲート電流となり、サイリスタ１０が導通して放電管１３が発光する。この発光はＳ２３の充電タイマのカウントが終了するまで連続的に発光し、長時間主コンデンサに過電圧が印加されることを防止する安全回路となる。
【００６０】
このように、第１の実施の形態によれば、充電完了電圧とする第１の電圧レベルを温度変化に追従して可変設定できるように構成し、且つ、安全作動電圧より低めに設定するようにしたので、過充電に対して高い安全性を保証する安全システムが構成される。
【００６１】
（第２の実施の形態）
次に本発明の第２の実施の形態について図を参照して説明する。
図５は本発明の第２の実施の形態に係る閃光装置の主コンデンサと安全回路の作動電圧の関係を示す図である。
【００６２】
図４に示した前実施の形態では、安全回路の温度特性に合わせて充電完了電圧を設定したが、図５に示す第２の実施の形態では、所定の温度以上（例えば１０℃）では充電完了電圧は一定とし、所定温度以下の場合のみ温度特性に追従した設定を行うものである。
【００６３】
通常１０℃以上なら常温とみなすことができる。
【００６４】
（第３の実施の形態）
次に、本発明の第３の実施の形態について図を参照して説明する。
図６は本発明の第３の実施の形態に係る閃光装置の主コンデンサと安全回路の作動電圧の関係を示す図である。
【００６５】
図６に示す第３の実施の形態の場合は、温度特性に対する対応として温度領域に対して、充電完了電圧を複数段階（例えば、３段階、−２０℃〜０℃〜１５℃〜…）に切換えて、各領域間の電圧レベルは一定となるように制御するものである。
【００６６】
通常は０℃〜−２０℃、１５℃以上といった範囲は動作上それぞれ同一温度帯とみなすことができる。
【００６７】
（第４の実施の形態）
次に、本発明の第４の実施の形態について図を参照して説明する。
図７は本発明の第４の実施の形態に係る閃光装置の主コンデンサと安全回路の作動電圧の関係を示す図である。
【００６８】
図７に示す第４の実施の形態では、所定温度（例えば１０℃）以下と以上に別けて、１段階で主コンデンサの充電完了電圧を変化追従させる設定である。
【００６９】
以上、図４〜図７に示した第１〜第４の実施の形態についての図には、温度に対する充電完了電圧の補正用ＲＯＭテーブルが、それぞれ低下した形態を示している。
【００７０】
（他の実施の形態）
第１の実施の形態では、主コンデンサ１４の充電完了電圧にてＤＣ／ＤＣコンバータ２の作動を、端子ａの信号を停止することによって充電停止としたが、ＤＣ／ＤＣコンバータ２の作動をＯＮ−ＯＦＦ−ＯＮ−ＯＦＦと断続させて、一定電圧を維持するプログラムでも良い。
【００７１】
また、充電完了電圧の温度追従可変設定は、プログラムにテーブルを作成し参照して追従変更する方式としても良い。また、ＲＯＭではなく書き込み可能な不揮発性メモリ（ＥＥＰＲＯＭ等）で補正値を与える方式でも良い。
【００７２】
更に、第２〜第４に示した段階的に変化させる回路では、Ａ／Ｄコンバータによる比較に限らず、複数の比較回路を温度によって切換える方式でも可能なことは勿論である。
【００７３】
また、図６及び図７に示す第３及び第４の実施の形態において、段階的に充電完了電圧を設定する場合に、Ａ／Ｄコンバータを用いずに所定の温度範囲で、コンパレータを含む検出回路の基準電圧を切換える方式として良い。
【００７４】
【発明の効果】
以上説明したように、請求項１に記載の発明によれば、温度特性を有する安全回路と、主コンデンサの充電電圧を検出し所定の充電完了電圧で昇圧回路を停止又は断続動作させて、所定電圧以上の主コンデンサの充電を禁止する充電完了電圧レベルを有する閃光装置において、安全回路が作動する電圧が主コンデンサの充電完了電圧レベルに対し安全な範囲に補正することにより簡単な構成でより安全な回路の構成が可能となった。
【００７５】
また、請求項２乃至１０に記載の発明によれば、定電圧ダイオードを用いて安全回路の作動電圧を設定し、主コンデンサの充電完了電圧は安全回路の温度により可変する作動電圧に比例、若しくは所定の温度により１段又は複数段階に可変追従するように構成したので、温度変化に対応する安全回路の作動電圧を正確に検出して、充電完了電圧を温度に対応して正確に追従補正することにより、より安全な回路にすることができる。
【図面の簡単な説明】
【図１】本発明の第１の実施の形態に係るカメラの閃光装置の回路ブロック図である。
【図２】図１に示すカメラの動作のフローチャートである。
【図３】図２に示すフラッシュモード時のフローチャートである。
【図４】図１に示す閃光装置の主コンデンサと安全回路の動作電圧の関係を示す図である。
【図５】本発明の第２の実施の形態に係る閃光装置の主コンデンサと安全回路の動作電圧の関係を示す図である。
【図６】本発明の第３の実施の形態に係る閃光装置の主コンデンサと安全回路の動作電圧の関係を示す図である。
【図７】本発明の第４の実施の形態に係る閃光装置の主コンデンサと安全回路の動作電圧の関係を示す図である。
【図８】従来のカメラの閃光装置の回路ブロック図である。
【符号の説明】
１  電池
２  ＤＣ／ＤＣコンバータ
３  整流ダイオード
４  高圧定電圧ダイオード
５，６，８，９  抵抗
７，１１  コンデンサ
１２  トリガトランス
１３  放電管
１４  主コンデンサ
１５，１７  充電電圧検出用分圧抵抗
１６  ＦＥＴ
２５  制御回路
２７  温度検出回路
【図１】
0003754799.tif 000002
【図２】
0003754799.tif 000003
【図３】
0003754799.tif 000004
【図４】
0003754799.tif 000005
【図５】
0003754799.tif 000006
【図６】
0003754799.tif 000007
【図７】
0003754799.tif 000008
【図８】
0003754799.tif 000009